(57)【特許請求の範囲】
【請求項１】
対応する専用治具を識別できる車種マークが付されたリアアクスルハウジングに対し、スプリングシート本体にブラケットが溶接されてなるスプリングシートを前記専用治具で押し付けてセットし、溶接することによって取り付ける方法であって、
前記ブラケットの種類と前記スプリングシートの前記リアアクスルハウジングへの取付け角度が異なるごとに、前記スプリングシート本体に異なる数または位置の識別穴が設けられた前記スプリングシートを準備し、
前記スプリングシートの前記識別穴の全てに対応する位置に前記識別穴中に突出する判別ピンが設けられた前記専用治具を準備し、
作業者は前記リアアクスルハウジングに付された車種マークに従ってブラケットの種類と前記取付け角度別に準備した専用治具から対応する専用治具を選定し、
選定した専用治具の前記判別ピンに対応する配置の識別穴を有するスプリングシートを前記ブラケットの種類と前記取付け角度毎に準備したスプリングシートから選択して前記専用治具にセットするスプリングシートの取付け方法。
【発明の詳細な説明】
【０００１】
【発明の属する技術分野】
この発明は、トラック，バン系の荷重の掛かる車両において、リアアクスルハウジングに取り付けられるスプリングシートの取付け方法に関する。
【０００２】
【従来の技術】
トラック，バン系の荷重の掛かる車両においては、荷重を支えるためにリアアクスルハウジングにリーフタイプのスプリング（板ばね）が用いられる。かかる板ばねを取り付けるために、リアアクスルハウジングにスプリングシートが溶接固定され、このスプリングシートに板ばねが取り付けられる。
【０００３】
この構造について、図５を参照して説明する。図５は、リアアクスルハウジングへのスプリングシートの取付け構造を示す模式図である。
図５において、エンジン６０からコネクティングロッド６２が車両後方に伸びて、ジョイント部６４においてプロペラシャフト６６に接続される。プロペラシャフト６６はさらに後方に伸びて、リアアクスルハウジング６８のデフ（ディファレンシャルギア）部分６８ａに接続される。
このリアアクスルハウジング６８の下面にスプリングシート７０が溶接される。そして、スプリングシート７０の下面にリーフスプリング（板ばね）７２が取り付けられる。
【０００４】
ここで、スプリングシート７０には図示しないブラケットが溶接されている。このブラケットは、リアアクスルハウジング６８の近傍を通過するブレーキ配管，ＡＢＳ配管等を支持するためのものであり、ブラケットの形状は車種によって異なっている。従って、ブラケットの溶接されたスプリングシート７０（以下、ブラケットの溶接されたスプリングシート全体を単にスプリングシートと呼び、ブラケットを除いた部分をスプリングシート本体という。）にも複数種類が存在することになる。
また、図におけるシート角θは、同種類のスプリングシートでも、コネクティングロッド６２が水平面となすジョイント角αによって変化する。
【０００５】
そこで、車種ごとに正しい種類のスプリングシート７０を正しい角度で取り付ける必要がある。リアアクスルハウジング６８の表面には、車種を示す記号等が書かれており、作業者はこれを見て車種を判断することになる。そして、リアアクスルハウジング６８にスプリングシート７０を押し付ける際には、治具が用いられる。この治具は、取付け角度が同じ場合には複数種類のスプリングシート７０について共通に用いられ、取付け角度が異なる場合には各角度用の専用治具が用いられる。
【０００６】
【発明が解決しようとする課題】
しかし、共通治具でも専用治具を用いた場合でも、セットするスプリングシート７０の選択は前記車種を示す記号等に基づいて作業者の目視および記憶に頼っていたため、他種類のスプリングシートを誤って選択して取り付けてしまうというミスを犯す場合があった。
また、スプリングシート７０の前後逆セットやリアアクスルハウジング６８の右側に取り付けるべきものを左側に取り付けてしまうといった左右逆セットのようなトラブルも生じていた。
【０００７】
そこで、本発明の課題は、スプリングシートのリアアクスルハウジングへの取付けの誤りを確実にかつ低コストで防止することができるスプリングシートの取付け方法を提供することである。
【０００８】
【課題を解決するための手段】
そこで、上記の課題を解決するために、対応する専用治具を識別できる車種マークが付されたリアアクスルハウジングに対し、スプリングシート本体にブラケットが溶接されてなるスプリングシートを前記専用治具で押し付けてセットし、溶接することによって取り付ける方法であって、前記ブラケットの種類と前記スプリングシートの前記リアアクスルハウジングへの取付け角度が異なるごとに、前記スプリングシート本体に異なる数または位置の識別穴が設けられた前記スプリングシートを準備し、前記スプリングシートの前記識別穴の全てに対応する位置に前記識別穴中に突出する判別ピンが設けられた前記専用治具を準備し、作業者は前記リアアクスルハウジングに付された車種マークに従ってブラケットの種類と前記取付け角度別に準備した専用治具から対応する専用治具を選定し、選定した専用治具の前記判別ピンに対応する配置の識別穴を有するスプリングシートを前記ブラケットの種類と前記取付け角度毎に準備したスプリングシートから選択して前記専用治具にセットするスプリングシートの取付け方法を創出した。
【０００９】
この発明に係るスプリングシートは、スプリングシート本体にブラケットが溶接されてなるものである。そして、このブラケットの種類あるいはスプリングシートのリアアクスルハウジングへの取付け角度が異なるごとに、スプリングシート本体に異なる数または位置の識別穴が設けられている。
そして、この発明に係るスプリングシートの取付け方法においては、まず取付け設備に搬入されてきたリアアクスルハウジングに付されているマークを見て、作業者が対応する専用治具を選定する。
【００１０】
この専用治具には、各スプリングシートの識別穴の全てに対応する位置に識別穴中に突出する判別ピンが設けられている。この専用治具で、スプリングシートをリアアクスルハウジングに押し付けることによってセットする。
正しいスプリングシートを正しい向きにセットしようとした場合には、専用治具の判別ピンの配置と識別穴の配置が一致するために、全ての判別ピンが識別穴に嵌合して正しくセットすることができる。
【００１１】
これに対して、誤ったスプリングシートを取り付けようとしたり、向きを逆に取り付けようとすると、識別穴の配置が異なるため、全ての判別ピンが嵌合できずにスプリングシート本体が判別ピンで押し上げられてしまって、取付け位置にセットすることができない。これによって、間違ったスプリングシートがリアアクスルハウジングに取り付けられること、および前後逆セットや左右逆セット等のミスを確実に防止することができる。そして、従来のスプリングシートに識別穴を開けるだけで良いので、コストもかからない。
このようにして、本発明のスプリングシートの取付け方法によれば、リアアクスルハウジングへの取付けの誤りを確実にかつ低コストで防止することができる。
【００１２】
【発明の実施の形態】
次に、本発明を具現化した一実施形態について、図１乃至図４を参照して説明する。まず、本実施形態のスプリングシートのうち二種類の形状について、図１および図２を参照して説明する。図１は本実施形態のスプリングシートのうち一種類の形状を示す正面図および平面図であり、図２はもう一種類のスプリングシートの形状を示す正面図および平面図である。
図１と図２に示されるスプリングシートは、スプリングシート本体の形状とブラケットの種類は同じで、リアアクスルハウジングへの取付け角度のみが異なる。図１のスプリングシート２はシート角度θ＝６．５度であり、図２のスプリングシート１２はシート角度θ＝５度である。
【００１３】
さて、図１に示されるように、スプリングシート２は、スプリングシート本体４にブラケット６が溶接されて構成されている。スプリングシート本体４の底面には、中央部に基準穴８が、またブラケット６側に識別穴１０がそれぞれ穿設されている。基準穴８はスプリングシート２を後述する専用治具に取り付けるための穴で、識別穴１０はスプリングシート種類（ここでいう種類にはシート角度θも含まれる）を判別するための判別ピンが嵌合する穴である。
【００１４】
また、図２に示されるように、スプリングシート１２は、スプリングシート本体４と外形が同一のスプリングシート本体１４に、ブラケット６と同一のブラケット１６が溶接されて構成されている。スプリングシート本体１４の底面には、中央部に基準穴１８が、また基準穴１８に対してブラケット１６と反対側に識別穴２０がそれぞれ穿設されている。
このように、図１のスプリングシート２と図２のスプリングシート１２は、スプリングシート本体の外形もブラケットの種類も全く同一で、スプリングシート本体底面に開けられた識別穴の位置だけが異なっている。
【００１５】
このような二種類のスプリングシート２，１２を混同することなく、確実にリアアクスルハウジングに取り付けるための専用治具について、図３を参照して説明する。図３は、スプリングシート１２用の専用治具の先端にスプリングシート１２がセットされた状態を示す正面図である。
図３に示されるように、スプリングシート１２をリアアクスルハウジング６８に溶接で取り付ける際には、専用治具５０によってスプリングシート１２がリアアクスルハウジング６８に押し付けられる。ここで、専用治具５０の上面には、スプリングシート１２の基準穴１８に嵌合して支持する支持ピン５２と、識別穴２０に嵌合する判別用の判別ピン５４とが突出している。
【００１６】
作業者は、取付け設備に搬入されてきたリアアクスルハウジング６８の表面にマジックインキ等で書かれた車種を示す記号等（例えば、「Ａ」）を見て、専用治具が一列に並んで収納されている場所の前に並んでいるボタンの中から「Ａ」のボタンを押す。すると、車種「Ａ」に対応した専用治具５０の真上に取り付けられたランプが点灯するので、作業者は間違いなく、リアアクスルハウジング６８への取付け角度（シート角）θ＝５度に対応した専用治具５０を取付け設備にセットすることができる。
【００１７】
次に作業者が、この専用治具５０に対応するスプリングシート１２を正しく選択してセットした場合には、図３に示されるように判別ピン５４が識別穴２０に嵌合するために、スプリングシート１２は専用治具５０に正しくセットされる。
これに対して、作業者が誤ったスプリングシートをセットしようとした場合には、判別ピン５４に対応する位置に識別穴が開いていないため、判別ピン５４によってスプリングシートの底面が持ち上げられ、専用治具５０にセットすることができない。これによって直ちにスプリングシートの選択の誤りが検出され、正しいスプリングシート１２に取り替えることができる。
【００１８】
一方、スプリングシート２をセットするための専用治具は、図３の専用治具５０の判別ピン５４の代わりに判別ピン５６が設けられた構造を有している。これによって、スプリングシート２をセットした場合には、判別ピン５６がスプリングシート２の識別穴１０に嵌合して正しくセットされる。それ以外のスプリングシートが誤ってセットされた場合には、判別ピン５６によってスプリングシートの底面が持ち上げられ、専用治具にセットすることができない。
【００１９】
次に、スプリングシートの種々の例について、図４を参照して説明する。図４は、スプリングシートの種々の例を示す斜視図である。
図４（Ａ）に示されるのは、図１に示したのと同一のスプリングシート２であり、底面側から見た図である。また、図４（Ｂ）に示されるのは、図２に示したのと同一のスプリングシート１２である。前述の如く、これら二つのスプリングシート２，１２は、スプリングシート本体４，１４の形状も同一で、ブラケット６，１６の種類も同一である。そして、識別穴１０，２０の位置の違いでのみ区別される。
【００２０】
これに対して、図４（Ｃ）に示されるスプリングシート２２は、ブラケット２６の形状がブラケット６，１６とは異なっている。そして、二個の識別穴３０Ａ，３０Ｂが、スプリングシート本体２４の底面の基準穴２８とブラケット２６の間に穿設されている。スプリングシート２２用の専用治具には、この二個の識別穴３０Ａ，３０Ｂに対応する位置に二本の判別ピンが設けられている。これによって、スプリングシート２２用の専用治具を用いたときには、スプリングシート２やスプリングシート１２等の他の種類のスプリングシートを誤って取り付けてしまう恐れがない。
【００２１】
また、図４（Ｄ）に示されるスプリングシート３２も、ブラケット３６の形状がブラケット６，１６，２６とは異なっている。そして、二個の識別穴４０Ａ，４０Ｂが、スプリングシート本体３４の底面の基準穴３８とブラケット３６の間に穿設されている。ここで、識別穴４０Ｂの位置は、前記スプリングシート２２の識別穴３０Ｂの位置とは異なっている。スプリングシート３２用の専用治具には、この二個の識別穴４０Ａ，４０Ｂに対応する位置に二本の判別ピンが設けられている。これによって、スプリングシート３２用の専用治具を用いたときには、スプリングシート２，１２，２２等の他の種類のスプリングシートを誤って取り付けてしまう恐れがない。
【００２２】
本実施形態においては、四種類のスプリングシートの例について説明したが、これら以外にも各種の識別穴の配置を持ったスプリングシートを準備することができる。
スプリングシートの取付け方法のその他の工程や、スプリングシートの形状，寸法，材質等についても、本実施形態に限定されるものではない。
【００２３】
【発明の効果】
本発明においては、スプリングシートのリアアクスルハウジングへの取付けの誤りを確実にかつ低コストで防止することができる。
【図面の簡単な説明】
【図１】本発明に係るスプリングシートの取付け方法の一実施形態に使用されるスプリングシートの一例を示す正面図および平面図である。
【図２】スプリングシートの取付け方法の一実施形態に使用されるスプリングシートの他の例を示す正面図および平面図である。
【図３】スプリングシートの取付け方法の一実施形態に使用される専用治具の一例を示す正面図である。
【図４】スプリングシートの取付け方法の一実施形態に使用されるスプリングシートの他の例を示す斜視図である。
【図５】車体におけるスプリングシートの取付け位置を示す模式図である。
【符号の説明】
２，１２，２２，３２  スプリングシート
４，１４，２４，３４  スプリングシート本体
６，１６，２６，３６  ブラケット
１０，２０，３０Ａ，３０Ｂ，４０Ａ，４０Ｂ  識別穴
５０  専用治具
５４，５６  判別ピン
６８  リアアクスルハウジング
【図１】
0003807141.tif 000002
【図２】
0003807141.tif 000003
【図３】
0003807141.tif 000004
【図４】
0003807141.tif 000005
【図５】
0003807141.tif 000006